(57)【特許請求の範囲】
【請求項１】
保存剤の不使用時には気密状態にでき、保存剤の使用時には開口状態にして使用することができる防湿材製の収納袋と、この収納袋に収納された酸化鉄を用いた少なくとも１個以上の脱酸素材と、前記収納袋に収納された前記脱酸素材の作用を活発に行なわせるために含浸させられた水分量を使用時に調整することができる水分調整シートとからなることを特徴とする保存剤。
【請求項２】
前記収納袋は、保存剤の不使用時には気密状態にでき、保存剤の使用時には開口状態にして使用することができる側部に開封するための切り欠き溝が形成されていることを特徴とする請求項１記載の保存剤。
【請求項３】
前記収納袋は、保存剤の不使用時には気密状態にでき、保存剤の使用時には開口状態にして使用することができる開口部に密封可能なチャックが形成されていることを特徴とする請求項１記載の保存剤。
【発明の詳細な説明】
【０００１】
【発明の属する技術分野】
本発明は押し花、押し葉等の装飾品や、菓子、海苔等の食品類等の品質を長期間劣化させることなく保存することができる保存剤に関する。
【０００２】
【従来の技術】
従来、押し花や菓子等を額縁やケース等に収納する場合、額縁やケース内に乾燥剤や脱酸素材を収納したりしている。
【０００３】
【発明が解決しようとする課題】
従来の収納される乾燥剤や脱酸素材は、生産時から需要者の使用時までに外気に接する機会が多いため、使用時に十分な乾燥効力あるいは脱酸素効力を得ることができないという欠点があった。
【０００４】
本発明は以上のような従来の欠点に鑑み、使用時に脱酸素材の作用を活発にして十分に発揮させることができ、押し花や菓子等の品質が劣化するのを容易に防止することができるとともに、使用時に不良品の発生を低減することができる保存剤を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は保存剤の不使用時には気密状態にでき、保存剤の使用時には開口状態にして使用することができる防湿材製の収納袋と、この収納袋に収納された酸化鉄を用いた少なくとも１個以上の脱酸素材と、前記収納袋に収納された前記脱酸素材の作用を活発に行なわせるために含浸させられた水分量を使用時に調整することができる水分調整シートとからなることを特徴とする保存剤とで保存剤を構成している。
【０００７】
【発明の実施の形態】
以下、図面に示す実施の形態により、本発明を詳細に説明する。
【０００８】
図１ないし図７に示す発明者が考えた保存剤において、１は本発明の保存剤で、この保存剤１は図１に示すように、不使用時には気密状態にすることができる収納袋２と、この収納袋２に収納された少なくとも１個以上の、本実施の形態では２個の脱酸素材３、３と、前記収納袋２に収納された水分が含浸させられたシート４とで構成されている。
【０００９】
前記収納袋２は樹脂コーティングされたアルミ箔等の防湿シート材を２枚用い、その外周部部位をヒートシール５、５、５、５で密封固定している。
【００１０】
前記脱酸素材３は通気性のある脱酸素材収納袋６と、この脱酸素材収納袋６内に収納された脱酸素効力を有する酸化鉄７とで構成されている。
【００１１】
前記シート４は水分を含浸させることができる布や紙等の四角形形状のシート材である。
【００１２】
なお、前記収納袋２のヒートシール部５は該収納袋２の一端部部位を除く外周部に形成されてもよい。
【００１３】
上記構成の保存剤１は図１に示すように、収納袋２内に２個の脱酸素材３、３と水分を含浸させたシート４を収納し、収納袋２内を気密状態にして密封され、販売される。
【００１４】
使用する場合には図３に示すように、気密状態にある収納袋２の一端部をハサミやナイフ等で切断すると同時に、開封された開口部８より収納袋２内に外気が取り込まれ、収納袋２内に収納された脱酸素材３はシート４に含浸された水分および大気中の水分により酸化鉄７の脱酸素作用がより活発に行なわれ、効率よく脱酸素状態にすることができるとともに、大気中の水分や酸素は脱酸素作用に吸収され利用されるため、容易に乾燥状態を引き起こすことができる。
【００１５】
この状態で、保存剤１を押し花９等を飾ることができるケース１０や袋１１、あるいは額縁１２等に収納する場合には、収納袋２を開口状態で図４に示すように、保存剤１を前記ケース１０内の外部から見えない上下端部部位に設置されたり、図５に示すように袋１１内に収納されたり、あるいは図６および図７に示すように押し花９を設置する台紙１３に設けられた凹部１４に収納されたりして使用されることにより、押し花９等は保存剤１の脱酸素効力およびこの脱酸素効力に伴い引き起こされる乾燥効力により、長期間変退色したりするのを容易に防止することができる。
【００１６】
【発明の異なる実施の形態】
次に、図８ないし図１７に示す本発明の異なる実施の形態につき説明する。なお、これらの本発明の異なる実施の形態の説明に当って、前記本発明の第１の実施の形態と同一構成部分には同一符号を付して重複する説明を省略する。
【００１７】
図８および図９に示す発明者が考えた保存剤において、図１ないし図７の形態と主に異なる点は、収納袋２の上部寄りの一方あるいは両側部部位に切断用の切り欠き溝１５を形成した点で、このような収納袋２Ａを用いて構成された保存剤１Ａにしても、図１ないし図７の形態と同様な作用効果が得られるとともに、使用時に容易に開封して使用することができる。
【００１８】
図１０および図１１に示す発明者が考えた保存剤において、図１ないし図７の形態と主に異なる点は、収納袋２の開口部部位に該収納袋２内を気密状態にすることができる開閉可能なチャック１６を形成した点で、このような収納袋２Ｂを用いて構成された保存剤１Ｂにしても、図１ないし図７の形態と同様な作用効果が得られるとともに、チャック１６によって開閉することができるので、何回でも再使用でき、経済的に使用することができる。
【００１９】
図１２ないし図１４に示す本発明の第１の実施の形態において、図１ないし図７の形態と主に異なる点は、使用時に含浸された水分量を調整することができるように使用目的に応じて任意の大きさに切断することができるミシン目１７が形成された水分調整シート１８を用いた点で、このような水分調整シート１８を用いて構成された保存剤１Ｃにしても、図１ないし図７の形態と同様な作用効果が得られるとともに、使用時に水分調整シート１８をミシン目１７より切断し、必要な水分量が含浸された水分調整シート１８を得ることができるので、使用目的に応じて必要十分の脱酸素効力およびこの脱酸素効力より引き起こされる乾燥効力を効率よく得ることができる。
【００２０】
図１５ないし図１７に示す本発明の第２の実施の形態において、前記本発明の第１の実施の形態と主に異なる点は、水分を含浸させることができる四角形状の複数枚の、本実施の形態では５枚の水分調整シート１８Ａ、１８Ａ、１８Ａ、１８Ａ、１８Ａを用いた点で、このように構成された保存剤１Ｄにしても、使用時に水分調整シート１８Ａの枚数を選択し、使用目的に応じた水分量を得ることができるので、前記第１の実施の形態と同様な作用効果を得ることができる。
【００２１】
なお、前記本発明の各実施の形態では四角形状のシート４、４Ａおよび水分調整シート１８、１８Ａを使用するものについて説明したが、本発明はこれに限らず、円形状や楕円形状等で形成されてもよい。
【００２２】
また、前記本発明の異なる実施の形態では主に図１ないし図７の形態を基にして説明したが、本発明はこれに限らず、各実施の形態に使用された部品等を組み合わせて使用しても同様な作用効果が得られる。
【００２３】
さらに、前記本発明の実施の形態では押し花等に使用される保存剤について説明したが、本発明はこれに限らず、従来と同様にセンベイやクッキー等の菓子類や海苔等の食品、あるいは木工品や人形等の工芸品等にも同様に使用することができる。
【００２４】
【発明の効果】
以上の説明から明らかなように、本発明にあっては次に列挙する効果が得られる。
【００２５】
（１）保存剤の不使用時には気密状態にでき、保存剤の使用時には開口状態にして使用することができる防湿材製の収納袋と、この収納袋に収納された酸化鉄を用いた少なくとも１個以上の脱酸素材と、前記収納袋に収納された前記脱酸素材の作用を活発に行なわせるために含浸させられた水分量を使用時に調整することができる水分調整シートとで構成されているので、収納袋を開封して使用することができる。
したがって、使用時に脱酸素材の効力を十分に発揮させることができるとともに、不良品の発生を効率よく防止することができる。
【００２６】
（２）前記（１）によって、水分により脱酸素材の作用を容易に活発にすることができる。
したがって、脱酸素材の脱酸素効力およびこの脱酸素効力により引き起こされる乾燥効力により、押し花等の品質を長期間劣化させることなく保存することができる。
【００２７】
（３）前記（１）によって、収納袋とこの収納袋に収納された脱酸素材およびシートで構成されているので、構造が簡単で、容易に安価に製造することができるとともに、コストの低減を図ることができる。
【００２８】
（４）前記（１）によって、使用時に水分量を調整できる水分調整シートを用いているので、使用目的に応じて脱酸素材の作用に必要な水分量を得ることができる。
したがって、必要十分な脱酸素効力およびこの脱酸素効力により引き起こされる乾燥効力を効率よく得ることができる。
【００２９】
（５）請求項２も前記（１）〜（４）と同様な効果が得られるとともに、簡単に開封することができるので、誰でもが容易に使用することができる。
【００３０】
（６）請求項３も前記（１）〜（４）と同様な効果が得られるとともに、収納袋はチャックによって開閉することができるので何回でも再使用することができ、経済的に使用することができる。
【図面の簡単な説明】
【図１】発明者が考えた保存剤の正面図。
【図２】図１の２−２線に沿う断面図。
【図３】発明者が考えた保存剤の使用状態の説明図。
【図４】発明者が考えた保存剤の保存剤がケース内に収納された参考図。
【図５】発明者が考えた保存剤の保存剤が袋内に収納された参考図。
【図６】発明者が考えた保存剤の保存剤が押し花用台紙に設けた参考図。
【図７】図６の７−７線に沿う断面図。
【図８】発明者が考えた保存剤の正面図。
【図９】発明者が考えた保存剤の使用状態の説明図。
【図１０】発明者が考えた保存剤の正面図。
【図１１】図１０の１１−１１線に沿う断面図。
【図１２】本発明の第１の実施の形態の正面図。
【図１３】本発明の第１の実施の形態のシートの説明図。
【図１４】本発明の第１の実施の形態の使用状態の説明図。
【図１５】本発明の第２の実施の形態の正面図。
【図１６】本発明の第２の実施の形態のシートの説明図。
【図１７】本発明の第２の実施の形態の使用状態の説明図。
【符号の説明】
１、１Ａ〜１Ｄ：保存剤、２、２Ａ、２Ｂ：収納袋、
３：脱酸素材、          ４、４Ａ：シート、
５：ヒートシール部、    ６：脱酸素材収納袋、
７：酸化鉄、            ８：開口部、
９：押し花、            １０：ケース、
１１：袋、              １２：額縁、
１３：台紙、            １４：凹部、
１５：切り欠き溝、      １６：チャック、
１７：ミシン目、        １８、１８Ａ：水分調整シート。
【図１】
0004486171.tif 000002
【図２】
0004486171.tif 000003
【図３】
0004486171.tif 000004
【図４】
0004486171.tif 000005
【図５】
0004486171.tif 000006
【図６】
0004486171.tif 000007
【図７】
0004486171.tif 000008
【図８】
0004486171.tif 000009
【図９】
0004486171.tif 000010
【図１０】
0004486171.tif 000011
【図１１】
0004486171.tif 000012
【図１２】
0004486171.tif 000013
【図１３】
0004486171.tif 000014
【図１４】
0004486171.tif 000015
【図１５】
0004486171.tif 000016
【図１６】
0004486171.tif 000017
【図１７】
0004486171.tif 000018